(57)【特許請求の範囲】
【請求項１】
合成樹脂製の型物成形品であって、両端部で互いに結合できる左右一対の半円盤からなり、両半円盤には、該両半円盤が円盤状に結合したときその対向面部間にケーブル保護用可撓管の挿通孔を形成できるように、相対応した円弧面部がそれぞれ設けられ、また、両半円盤の背面部には同一円周面に沿って湾曲した固定脚がそれぞれ突設されていると共に、各々の固定脚の外側面部上には該固定脚の長さ方向と交叉する状態でヒレ状に張り出した圧着片が並設されていることを特徴とするケーブル保護用可撓管のダクトスペーサ。
【請求項２】
左右一対の半円盤の両端部には互いに嵌め外し可能な雌雄の結合部が設けられていることを特徴とする請求項１記載のケーブル保護用可撓管のダクトスペーサ。
【請求項３】
左右一対の半円盤のうちの少なくとも一方の半円盤の中間部には、外周面部側に向かって横向きＵの字断面形に開口した状態で、ケーブル挿通溝が設けられていることを特徴とする請求項１又は２記載のケーブル保護用可撓管のダクトスペーサ。
【発明の詳細な説明】
【０００１】
【発明の属する技術分野】
本発明は、マンホールのダクト口に装着して、１本の管路内に複数条布設される地下ケーブル（多条布設ケーブル）を分離保護する可撓管をダクト口で支持するために用いるケーブル保護用可撓管のダクトスペーサに関する。
【０００２】
【従来の技術】
従来のケーブル保護用可撓管のダクトスペーサは、図６に示すように可撓管ｐを挿通支持する円盤１が金属製であって、その円盤１の背面部に間隔を置いて複数個の固定脚用のボルト２が捩じ込まれ、これらのボルト２に、該ボルト２の長さ方向に沿ってヒレ状の圧着片３ａが並設されている、ゴム製の被覆膜３が焼付けられており、圧着片３ａをダクト口４の内壁に圧着させて、ダクトスペーサをダクト口４にしっかりと装着することができるようにした構造である。図中、５は可撓管ｐの移動を防止するために該可撓管ｐに締付け用のボルトとナットを用いて固定した把持金具である。
【０００３】
【発明が解決しようとする課題】
構成物の大部分が金属製である上記従来のダクトスペーサは、重量があって取扱いに不便であり、かつ、３部材の組付けにより構成されるため、製作に手間がかかり部品点数と相俟ってコスト高になるという問題があった。そこで、本発明の目的は、ダクトスペーサを合成樹脂により見掛け上一体に構成することによって、上記の問題を解決したケーブル保護用可撓管のダクトスペーサを提供することにある。
【０００４】
【課題を解決するための手段】
上記目的を達成するために、本発明の特徴とするケーブル保護用可撓管のダクトスペーサは、合成樹脂製の型物成形品であって、両端部で互いに結合できる左右一対の半円盤からなり、両半円盤には、該両半円盤が円盤状に結合したときその対向面部間にケーブル保護用可撓管の挿通孔を形成できるように、相対応した円弧面部がそれぞれ設けられ、また、両半円盤の背面部には同一円周面に沿って湾曲した固定脚がそれぞれ突設されていると共に、各々の固定脚の外側面部上には該固定脚の長さ方向と交叉する状態でヒレ状に張り出した圧着片が並設されている構成である。
【０００５】
そして、左右一対の半円盤は、それらの両端部に互いに嵌め外し可能に設けられている雌雄の結合部によって、円盤状に接合できる。又、既設のケーブル（例えば、光ファイバーケーブル）を分離して専用に挿通するために、左右一対の半円盤のうちの少なくとも一方の半円盤の中間部には、外周面部側に向かって横向きＵの字断面形に開口した状態で、ケーブル挿通溝が設けられている。
【０００６】
【発明の実施の形態】
以下に、本発明に係るケーブル保護用可撓管のダクトスペーサの実施の形態を図面を参照しながら説明する。図１〜図４において、１１，２１は円盤状に結合できる左右一対の半円盤であって、合成樹脂（例えば、ナイロン１２）製の型物成形品である。各々の半円盤１１，２１には、該両半円盤１１，２１が円盤状に結合したときその対向面部間にケーブル保護用可撓管ｐ（図５を参照）の挿通孔を形成できるように、相対応した円弧面部１２，２２がそれぞれ２個連続して設けられ、また、両半円盤１１，１２の両端部１１ａ，２１ａには後述する雌雄の結合部１３，２３がそれぞれ設けられている。
【０００７】
そして、両半円盤１１，２１の背面部１１ｂ，２１ｂには同一円周面に沿って湾曲した固定脚１４，２４がそれぞれ突設されており、各々の固定脚１４，２４の外側面部上には該固定脚１４，２４の長さ方向と交叉する状態でヒレ状に張り出した多数の圧着片１５，２５が並設され、これらの圧着片１５，２５には成形時に弾性が付与されている。また、図２上では仮想線により示されているが、左右一対の半円盤１１，２１のうちの少なくとも一方の半円盤２１の中間部には、外周面部側に向かって横向きＵの字断面形に開口した状態で、光ファイバーケーブル等を挿通するケーブル挿通溝２６を設けることもできる。このケーブル挿通溝２６を設けた形態に実施する場合、半円盤２１側に設けられる固定脚２４はケーブル挿通溝２６の両側に位置して２分した状態で突設される。
【０００８】
次に、両半円盤１１，２１の結合部１３，２３について説明する（特に、図１，４を参照）。先ず、両半円盤１１，２１の両端部１１ａ，２１ａは相欠き状に形成されており、その相欠き状の部分に設けられる一方の結合部１３はあり溝状と軸状である雌雄２個の嵌合体１３ａ，１３ｂからなり、他方の結合部２３は上記嵌合体１３ａ，１３ｂとそれぞれ対応した凸状と孔状である雄雌２個の嵌合体２３ａ，２３ｂからなっている。そして、軸状の嵌合体１３ｂと孔状の嵌合体２３ｂは若干先細に形成されている。
【０００９】
上記のように構成されているダクトスペーサは、図５に示すようにマンホール３０のダクト口３１に装着して、ケーブル保護用可撓管を支持するために用いられる。即ち、ダクトスペーサは固定脚１２，２４により必要に応じてスリーブ３２を介してダクト口３１に装着され、両固定脚１４，２４の圧着片１５，２５が弾性作用によりダクト口３１側と圧着することで、ダクトスペーサのダクト口３１からの脱落が防止される。そして、円弧面部１２，２２により形成された挿通孔にケーブル保護用可撓管ｐを挿通できる。なお、結合部１３，２３を雌雄各２個の嵌合体からなる２重結合構造としたことで、両半円盤１１，２１の結合状態は強固に確定できるが、この結合構造に代えて、通常用いられている他の形態の結合手段を利用して実施できることは勿論である。
【００１０】
【発明の効果】
本発明は上記の如くであって、左右一対の半円盤を円盤状に結合させて構成される合成樹脂製の型物成形品であるから、製作が容易で安価に提供できることは勿論のこと、軽量であって取扱いに便利であるという利点があって、その実用的価値は多大である。
【図面の簡単な説明】
【図１】本発明の実施の形態を示すもので、左右両半円を分離した斜視図である。
【図２】図１に示すものを結合した正面図である。
【図３】図２に示すものの背面図である。
【図４】図２のＡ−Ａ矢視図である
【図５】図１に示すものの使用状態を示す軸線方向の略示的断面図である。
【図６】従来知られているケーブル保護用可撓管のダクトスペーサの使用状態を示す軸線方向の略示的断面図である。
【符号の説明】
１１，２１は半円盤
１１ａ，２１ａは両端部
１１ｂ，２１ｂは背面部
１３，２３は結合部
１４，２４は固定脚
１５，２５は圧着片
２６はケーブル挿通溝
【図１】
0003981938.tif 000002
【図２】
0003981938.tif 000003
【図３】
0003981938.tif 000004
【図４】
0003981938.tif 000005
【図５】
0003981938.tif 000006
【図６】
0003981938.tif 000007